(57)【要約】環状の車輪をスピンドルに取り付けるのに適用される中央の孔を有する環状の車輪を含む、プロファイリング機械においてウエハを台形研削するための研削工具。車輪は、車輪の外縁部に配置される少なくとも２つの溝を有し、溝は、ウエハの外縁部を受けるようなサイズである。溝の少なくとも１つはウエハの粗研削に適用される。少なくとも１つの他の溝はウエハの精密研削に適用される。
2013532587.tif 000002
【特許請求の範囲】
【請求項１】
プロファイリング機械においてウエハを台形研削するための研削工具であって、
環状の車輪をスピンドルに取り付けるのに適用される中央の孔を有する環状の車輪を含み、
前記車輪は、該車輪の外縁部に配置される少なくとも２つの溝を有し、該溝は、ウエハの外縁部を受けるようなサイズであり、
溝の少なくとも１つはウエハの粗研削に適用され、
少なくとも１つの他の溝はウエハの精密研削に適用される、研削工具。
【請求項２】
各溝が、ウエハの上部周縁部が研削されてウエハの下部周縁部が研削されないように角度付けられている、請求項１に記載の研削工具。
【請求項３】
前記溝が約３°〜１０°の角度を有し、該溝は、ウエハの上部周縁部のみが研削されるように平坦な底部を有する、請求項２に記載の研削工具。
【請求項４】
各溝は、ウエハの上部周縁部のみが研削されるように、断面においてＶ字形を有する、請求項２に記載の研削工具。
【請求項５】
少なくとも２つの溝は、ウエハが溝から溝へと容易に移動し得るように、互いに近接して配置される、請求項１に記載の研削工具。
【請求項６】
粗研削のための溝が、約６００〜約８００メッシュのダイアモンドグリットサイズを有し、精密研削のための溝が、約２０００〜約３０００メッシュのダイアモンドグリットサイズを有する、請求項１に記載の研削工具。
【請求項７】
車輪が、精密研削のための２つの溝と、粗研削のための１つの溝とを有する、請求項１に記載の研削工具。
【請求項８】
プロファイリング機械においてウエハを研削するための研削工具であって、
環状の車輪をスピンドルに取り付けるのに適用される中央の孔を有する環状の車輪を含み、
前記車輪は、該車輪の外縁部に配置される３つ以上の溝を有し、該溝は、ウエハの外縁部を受けるようなサイズであり、
溝の少なくとも１つはウエハの粗研削に適用され、
少なくとも１つの他の溝はウエハの精密研削に適用され、
各溝は、ウエハの上部周縁部のみが研削されるようなサイズおよび形状である、研削工具。
【請求項９】
各溝が、ウエハの上部周縁部が研削されてウエハの下部周縁部が研削されないように角度付けられている、請求項８に記載の研削工具。
【請求項１０】
前記溝が約７°の角度を有し、該溝は、ウエハの上部周縁部のみが研削されるように平坦な底部を有する、請求項９に記載の研削工具。
【請求項１１】
各溝は、断面においてＶ字形を有する、請求項１０に記載の研削工具。
【請求項１２】
前記溝は、ウエハが溝から溝へと迅速に移動し得るように、互いに近接して配置される、請求項１１に記載の研削工具。
【請求項１３】
粗研削のための溝が、約６００〜約８００メッシュのダイアモンドグリットサイズを有し、精密研削のための溝が、約２０００〜約３０００メッシュのダイアモンドグリットサイズを有する、請求項１に記載の研削工具。
【請求項１４】
車輪が、精密研削のための２つの溝と、粗研削のための１つの溝とを有する、請求項１３に記載の研削工具。
【請求項１５】
プロファイリング機械においてウエハを研削するための研削工具であって、
環状の車輪をスピンドルに取り付けるのに適用される中央の孔を有する環状の車輪を含み、
前記車輪は、該車輪の外縁部に配置される３つ以上の溝を有し、該溝は、ウエハの外縁部を受けるようなサイズであり、
一の溝はウエハの粗研削のためのものであり、
少なくとも２つの溝はウエハの精密研削のためのものであり、
各溝は、ウエハの上部周縁部のみが研削されるように、断面においてＶ字形を有し、かつウエハに対してサイズが決められる、研削工具。
【請求項１６】
前記溝が約７°の角度を有し、該溝は、ウエハの上部周縁部のみが研削されるように、平坦な底部を有するＶ字形である、請求項１５に記載の研削工具。
【請求項１７】
前記溝は、ウエハが溝から溝へと迅速に移動し得るように、互いに近接して配置される、請求項１６に記載の研削工具。
【請求項１８】
粗研削のための溝が、約６００〜約８００メッシュのダイアモンドグリットサイズを有し、精密研削のための溝が、約２０００〜約３０００メッシュのダイアモンドグリットサイズを有する、請求項１７に記載の研削工具。
【発明の詳細な説明】
【技術分野】
【０００１】
本開示は、シリコン・オン・インシュレータ（ＳＯＩ）接合構造体等の半導体およびソーラウエハ（ｓｏｌａｒ  ｗａｆｅｒ）に関し、より具体的には、接合ＳＯＩウエハを研削するための研削工具に関する。
【背景技術】
【０００２】
半導体ウエハは一般に、個別のウエハへとスライスされる単結晶インゴット（例えばシリコンインゴット）から製造される。本明細書において、シリコンで構成される半導体ウエハに言及しているが、ゲルマニウム、ヒ化ガリウムまたは後述の他の材料等の他の材料を同様に使用してよい。一の種類のウエハは、シリコン・オン・インシュレータ（ＳＯＩ）ウエハである。ＳＯＩウエハは、絶縁体層（即ち酸化物層）の上にシリコンの薄層（活性層）を有し、その絶縁体層は、シリコン基板の上に配置される。接合ＳＯＩ半導体ウエハはＳＯＩ構造体の一種である。
【０００３】
電子産業におけるデバイス幅の縮小、電力の節約、超高速性能および／または特別な用途に起因して、ＳＯＩ（シリコン・オン・インシュレータ）ウエハにおける要望が増大している。挑戦の１つとして、剥離を回避するために、支持基板に接合された活性層ウエハの、接合していない外側の周辺部を効果的に取り除くことが挙げられる。剥離は、ウエハの加工および/またはデバイスラインにおいて粒子の汚染を引き起こし得る。
【０００４】
ＳＯＩウエハを製造する際、接合すべき２つのウエハの外側の周辺部は、ウエハの破損、亀裂および/または粒子の発生を防ぐために、ＲもしくはＴ面取り又はエッジプロファイリング（以下に更に説明する）に付される。また、接合基板の外側の周辺部の厚さは、ウエハリング工程に起因して不均一である。この不均一な厚さを原因として、接合プロセスの間に、外側の周辺部が全く接合されず且つ／又は弱く接合される。活性ウエハの厚さを研削、エッチング、研磨等のプロセスにより小さくすると、この接合していない部分は、膜厚を小さくする工程の間に、接合基板から部分的に剥離する。剥離した部分は、膜厚の減少、洗浄および測定プロセスに対して問題を引き起こす。更に、デバイス加工において、残存する接合していない部分が剥離し、それにより、粒子が発生し、デバイスの収率に深刻な影響を及ぼす。
【０００５】
剥離を解決しようとするいくつかの従来技術が存在している。例えば、図１Ａ〜１Ｄは、基板ウエハＳと活性層ウエハＡとを互いに接合し、次いで、接合ウエハＷの縁部の周辺部を面取りする工程の連続を示している。図１Ａは、活性層ウエハの下の基板を示しており、図１Ｂは接合ウエハを示している。図１Ｃは、ウエハの外側周縁部を研削する研削機（またはグラインダ）Ｇを示しており、図１Ｄは完成したＳＯＩウエハＷを示している（完成したウエハは更に加工されることに留意されたい）。この方法は、日本国特許出願第１９８６−２５６６２１号に示される方法と実質的に類似していると考えられる。この例の他の欠点の中には、ウエハＷの直径が標準的なウエハ直径より小さいことがあり、それにより、下流の取扱設備および治具に関して問題が生じる。
【０００６】
図２Ａ〜２Ｄに示す別の従来技術の例において、接合ＳＯＩウエハＷが、上述のように活性層ウエハＡおよび基板ウエハＳから形成される。ウエハの縁部は、図２Ｂ〜２Ｃに示すように、活性ウエハＡの外縁部全体が削り落とされるが基板の一部のみが削り落とされるように研削される。この方法は、日本国特許出願第１９８９−２２７４４１号に示される方法と実質的に類似していると考えられる。この方法は、効率が悪くなってしまう。
【０００７】
図３Ａに示す従来技術の例において、活性ウエハＡはその縁部が研削されて出っ張り（ｌｅｄｇｅ）Ｌが形成される（従って、ウエハＡは予め研削されたウエハである）。ウエハＡは図３Ｂにおいて基板ウエハＳに接合される。図３Ｃにおいて、接合ＳＯＩウエハＷの上面が研削されて出っ張りＬが除去され、完成したウエハが図３Ｄに示される。活性層ウエハの接合していない部分は、その後、削り落とされる。この方法は、日本国特許出願第１９９２−８５８２７号に示される方法と実質的に類似していると考えられる。
【０００８】
図４Ａの従来技術において、接合ＳＯＩウエハＷは上述のように、活性層ウエハＡおよび基板ウエハＳから形成される。図４Ｂにおいて、活性ウエハＡはその上部周縁部Ｅが研削されて図４Ｃに示す出っ張りＬが形成される。図４Ｄのウエハ加工を完成させるために、選択的エッチング、研磨および／またはＰＡＣ（プラズマアシスト化学エッチング）法を用いて、活性層ウエハＡの外側周縁部から接合していない部分を除去する。この方法は、米国特許第６，５３４，３８４号Ｂ２（参照することにより本明細書に組み込まれる）に示される方法と実質的に類似していると考えられる。以上のように、完成したウエハを形成するのに多数の工程が必要とされる。
【０００９】
図５Ａの従来技術において、活性層ウエハＡは、接合に先立って、その下面において溝Ｒが形成されている。活性ウエハＡは、図５Ｂにおいて基板ウエハＳに接合される。この方法は、米国特許出願第２００９／０２０３１６７号Ａ１（参照することにより本明細書に組み込まれる）に示される方法と実質的に類似していると考えられる。図５Ｃにおいて、ウエハＡの溝Ｒと反対側において研削を実施する。ウエハＡの外側の周辺部の接合していない部分は、図５Ｄの完成したウエハＷにおいて示すように、ウエハを所定の厚さに研削した後に取り除くことができる。
【００１０】
ウエハの表面処理方法に関して、および接合構造体の活性層の外側の周辺部の剥離を防ぐ現在の方法の不都合な点に対処するウエハに関して、満たされていない要求が残っている。
【発明の概要】
【００１１】
一の態様において、プロファイリング（または形状加工もしくは面取り）機械においてウエハを台形研削するための研削工具は、環状の車輪をスピンドルに取り付けるのに適用される中央の孔を有する環状の車輪（ａｎｎｕｌａｒ  ｗｈｅｅｌ）を含む。車輪は、車輪の外縁部に配置される少なくとも２つの溝を有し、溝は、ウエハの外縁部を受けるようなサイズである。溝の少なくとも１つはウエハの粗研削に適用される。少なくとも１つの他の溝はウエハの精密（または微細）研削に適用される。
【００１２】
もう一つの態様において、研削工具の車輪は、車輪の外縁部に配置される３つ以上の溝を有し、溝は、ウエハの外縁部を受けるようなサイズである。溝の少なくとも１つはウエハの粗研削に適用され、少なくとも１つの他の溝はウエハの精密研削に適用される。各溝は、ウエハの上部周縁部のみが研削されるようなサイズおよび形状である。
【００１３】
更にもう一つの態様において、プロファイリング機械においてウエハを研削するための研削工具は、環状の車輪をスピンドルに取り付けるのに適用される中央の孔を有する環状の車輪を含む。車輪は、車輪の外縁部に配置される３つ以上の溝を有し、溝は、ウエハの外縁部を受けるようなサイズである。一の溝はウエハの粗研削のためのものであり、少なくとも２つの溝はウエハの精密研削のためのものである。各溝は、ウエハの上部周縁部のみが研削されるように、断面においてＶ字形を有し、かつウエハに対してサイズが決められる。
【００１４】
上述の態様に関連して記載される特徴の種々の改良が存在する。更なる特徴もまた同様に、上述の態様に組み込まれてよい。これらの改良および追加の特徴は、個別に又は任意の組み合わせで存在してよい。例えば、例示されるいずれかの実施形態に関連して以下に論じる種々の特徴を、単独で又は任意の組み合わせで上述の態様のいずれにも組み込んでよい。
【図面の簡単な説明】
【００１５】
【図１】図１Ａ〜１Ｄは、ＳＯＩウエハを作製する従来技術の方法を示す側面図である。
【図２】図２Ａ〜２Ｄは、ＳＯＩウエハを作製する従来技術の方法を示す側面図である。
【図３】図３Ａ〜３Ｄは、ＳＯＩウエハを作製する従来技術の方法を示す側面図である。
【図４】図４Ａ〜４Ｄは、ＳＯＩウエハを作製する従来技術の方法を示す側面図である。
【図５】図５Ａ〜５Ｄは、ＳＯＩウエハを作製する従来技術の方法を示す側面図である。
【図６】図６は、一の実施形態によるＳＯＩウエハの製造方法を示すフローチャートである。
【図７】図７Ａ〜７Ｅは、図６の製造方法の態様を示す側面図の連続である。
【図８】図８は、もう１つの実施形態によるＳＯＩウエハの製造方法を示すフローチャートである。
【図９】図９Ａ〜９Ｄは、図８の製造方法の態様を示す側面図の連続である。
【図１０】図１０は、台形研削工程を実施するための一の実施形態の砥石車（または研削用の車輪、ｇｒｉｎｄｉｎｇ  ｗｈｅｅｌ）を示す。
【図１１】図１１は、台形研削工程を実施するための一の実施形態の砥石車を示す。
【図１２】図１２は、図１０の砥石車の溝に合わされたＳＯＩウエハの側面図である。
【図１３】図１３は、台形研削した後のＳＯＩウエハの拡大図である。
【発明を実施するための形態】
【００１６】
図面は縮尺通りではなく、例示を目的として一部が拡大されている。対応する参照文字は図面全体にわたって対応する部材を表している。
【００１７】
ここで、図６および７Ａ〜７Ｅを参照して、接合ウエハ（あるいは、シリコン・オン・インシュレータ構造体またはＳＯＩウエハ）を製造または加工する方法１００を示す。図７Ａに示すような活性ウエハ１０１および基板ウエハ１０３は常套的なウエハである。両者は鏡面研磨された前面１０１Ｆ、１０３Ｆを有し、比較的欠陥がない。
【００１８】
活性ウエハ１０１および基板ウエハ１０３は、ＳＯＩ構造体において使用するのに適した任意の単結晶半導体材料であってよい。一般に、ウエハは、シリコン、ゲルマニウム、ヒ化ガリウム、シリコンゲルマニウム、窒化ガリウム、窒化アルミニウム、亜リン酸、サファイアおよびこれらの組み合わせからなる群から選択される材料で構成されてよい。一の実施形態において、ウエハ１０１、１０３はシリコンから作製される。
【００１９】
酸化物の層を活性ウエハの前面に堆積させる（１０２）。酸化は通常、垂直炉、例えば市販されているＡＭＳ４００において実施する。次いで、ウエハの前面を、基板ウエハの前面に接合して（１０４）、図７Ｂに示すように接合ウエハ１０５を形成する。接合は、オーストリアのＥＶ  Ｇｒｏｕｐ製のＭｏｄｅｌ  ＥＶＧ（登録商標）８５０等のツールを用いて、常套的な親水性接合プロセスにおいて実施することができる。電気炉（ペンシルバニアのＴＰＳ製のモデルＢｌｕｅ  Ｍ等）において熱処理１０６を適切に実施して接合を強化する。次の工程、台形研削１０８を、図７Ｃを参照して以下に更に説明する。図７Ｃに示す平面研削１１０は、日本のＤｉｓｃｏ  Ｃｏｒｐｏｒａｔｉｏｎ製のモデルＤＦＧ−８３０等の片面研削機を用いて適切に実施される。平面研削１１０は、粗研削工程および精密研削工程を適切に含む。粗研削は、２０〜３０ミクロンのグリットサイズの６００メッシュを用いて適切に実施され、精密研削は３０００メッシュおよび２〜６ミクロンのグリットサイズで実施される。
【００２０】
次に、再び図６を参照して、接合ウエハ１０５においてエッチング１１２を実施し、常套的なエッチング装置においてアルカリエッチャントを用いて適切に実施するが、酸エッチャントを用いてもよい。次いで、研磨１１４を実施し、Ｓｔｒａｓｂａｕｇｈ  Ｍａｒｋ  ９−Ｋを用いて、前面１０５Ｆにおける片面研磨を適切に実施する。別法として、研磨１１４は、前面１０５Ｆおよび裏面１０５Ｂの両方の両面研磨をであってよい。接合ウエハ１０５の仕上げ１１６は、平面度および粒子数等の必要とされる全てのパラメータに関してウエハを検査することと、次いで、顧客に出荷するためにウエハをパッケージングすることとを含む。
【００２１】
図７Ｅおよび１３からわかるように、仕上げられた又は接合されたウエハ１０５は台形形状を有する上部を有する。より具体的には、活性層ウエハ１０１の残余と、基板ウエハの比較的小さい部分とを含む上部は、外側周縁部において角を有しており、その結果、ウエハは、台形形状を有している又は断面において台形形状を有していると考えられる。接合ウエハ１０５の下部（この実施形態における基板ウエハ１０３に実質的に対応している）は、その外側周縁部において常套的な傾斜した形状または丸みを帯びた形状（概して湾曲した形状）を有し、従って、台形形状を有しないことに留意されたい。この実施形態において、接合ウエハ１０５の上部は、活性ウエハ１０１と実質的に一致する。
【００２２】
再び図７Ｃを参照して、活性ウエハ１０１の外側周縁部を研石車に接触させ、接合ウエハ１０５の前面１０５Ｆに対して斜めに研削する。角度は、適切には約３°〜１０°であり、この実施形態において、角度は約７°である。外側周縁部全体が図７Ｄに示すように研削されるまで、エッジ研削を実施する。研削は、外側周縁部におけるいずれのノッチも除去する。研削は、角度付けられた又は傾斜した部分の長さが約１ｍｍ〜１．５ｍｍ、例えば約１．２５ｍｍであるように適切に行ってよい。研削の角度および深さは、基板ウエハ１０３の上部傾斜１１９のごく一部が台形研削の間に除去されるようなものであることに留意されたい。
【００２３】
図７Ｃにおいて、活性ウエハ１０１の表面を、図７Ｄに示すように厚さが４０〜５０ミクロンになるまで研削する。図７Ｄにおける活性ウエハ１０１の台形形状に留意されたい。また、基板ウエハ１０３の一部が研削されるように、エッジ研削を実施する。
【００２４】
図８および９Ａ〜９Ｄを参照して、図６および７Ａ〜７Ｄの研削工程と比較して研削工程を逆転させる。換言すれば、台形研削の前に、活性ウエハ１０１の表面を先ず研削する。この工程の順番を図８に示す。この場合も同様に、平面研削工程は、粗研削工程および精密研削工程を含んでよい。粗研削は、６００メッシュおよび２０〜３０ミクロンのグリットサイズを用いて適切に実施し、精密研削は、３０００メッシュおよび２〜６ミクロンのグリットサイズで実施する。表面は、図９Ｂに示すように研削し、そして次に、図９Ｃにおいて、活性ウエハ１０１の縁部を、縁部が図９Ｄに示す台形形状を有するまで研削する。
【００２５】
図１０および１１を参照して、一の実施形態の砥石車１５１（概して台形研削工具）を、台形研削１０８の実施のために設計する。砥石車１５１は、台形研削を実施する常套的なエッジプロファイリング機械１５２に取り付けられるようになっている。この実施形態において、プロファイリング機械は直径２００ｍｍのウエハに適合するＳＴＣ  ＥＰ−５８００ＲＨＯ機である。砥石車１５１はプロファイリング機械１５２のスピンドル（または軸ｚ）１５３に取り付けられる。
【００２６】
この実施形態の砥石車１５１は、輪状または環状であり、プロファイリング機械１５２のスピンドル１５１に砥石車を取り付けるのに適用される中央の孔１５４を有する。砥石車１５１は２０２ｍｍの直径Ｄを有し、中央の孔の直径ＨＤは３０ｍｍであり、厚さは２０ｍｍである。この実施形態の砥石車１５１は、砥石車の外縁部に配置される上部の溝１５５、中央の溝１５７および下部の溝１５９を有する。この実施形態において、溝１５５、１５７、１５９は概してＶ字型である。別法として、砥石車１５１は、本開示の範囲内において、ただ１つの溝を有してよく、または実用的には任意の他の数の溝を有してよいことに留意されたい。
【００２７】
この実施形態において、上部の溝１５５および中央の溝１５７は精密研削に適用され、下部の溝１５９は粗研削に適用される。各溝は、ダイアモンドグリットを適切に含む。精密研削に関しては、２０００または３０００メッシュのダイアモンドグリットサイズが好適である。粗研削に関しては、６００メッシュまたは８００メッシュが好適である。砥石車１５１は金属合金、アルミニウム合金またはステンレス鋼から適切に作製されるが、他の材料も考えられる。
【００２８】
この実施形態の各溝壁は、溝の底部から溝の頂部へと傾斜しており、平坦な底部を有する。この実施形態において、傾斜は約７°の角度である。溝の底部の幅は、約２００ｍｍの総厚さを有する接合ウエハに使用する場合には約１．８ｍｍであり、その結果、基板ウエハまたはウエハの裏面は台形研削の間、溝に接触しない。各溝の、最も幅が広い部分（溝の頂部）における幅は約３．５ｍｍである。溝の壁は、約０．２ｍｍの半径で、溝の底部へと湾曲している。溝の深さＧＤは約６．０ｍｍであり、溝の根本（ｒｏｏｔ）の深さＲＤは約８．０ｍｍである。
【００２９】
砥石車１５１は、エッジプロファイリング機械１５２（ＳＴＣ  ＥＰ−５８００  ＲＨＯのスピンドル等）に設置される。砥石車を設置した後、スピンドル高さ（垂直方向）および距離（水平方向）を微調整し、その結果、砥石車１５１の溝１５５と接合ウエハ１０５とが、図１２に示すように位置決めされる。基板ウエハの縁部の最外部および底面が研削溝１５５に接触していないことに留意されたい。次いで、台形研削を上述のように実施する。台形研削は、粗いグリット溝もしくは精密なグリット溝のいずれか、または両方のグリット溝（まず粗いグリット溝、次いで精密なグリット溝）を用いて実施することができる。研削は、例えばエッジの品質の要求に応じて、シングルパス（または単一の工程）またはマルチパス（または複数の工程）として実施してよい。
【００３０】
上述の例の方法は、基板ウエハに接合される活性層ウエハの、接合されていない外側の周辺部を取り除くのに適用される。これにより、よりしっかりと接合された外側の周辺部を有する接合ウエハがもたらされる。適切な方法において、支持基板の上に活性層ウエハを接合し、接合対の接合後の熱処理を行った後に、台形研削を適用して活性層ウエハの接合していない外側の周辺部を取り除く。砥石車１５１等のエッジ砥石車を用いて台形研削工程を実施してよい。他の利点の中に、本開示の実施形態による接合ウエハは、剥離してしまう可能性が低いことがある。更に、接合ウエハは、さもなければウエハの加工／デバイスラインにおける接合していない部分の剥離に起因して生じることがある粒子汚染を妨げ、または防止する。
【００３１】
本発明または本発明の（１以上の）実施形態の構成要素を導入する際、冠詞「ａ」、「ａｎ」、「ｔｈｅ」および「ｓａｉｄ」は、その構成要素が１以上存在することを意味することが意図される。用語「含む」、「含有する」および「有する」は、包含的であることが意図され、列挙された構成要素の他に追加の構成要素が存在してよいことを意味することが意図される。
【００３２】
本発明の範囲から逸脱することなく、上述の構成に種々の変更を行うことが可能であるので、上述の説明に含まれる全ての事項および添付の（１以上の）図面に示される全ての事項は例示を目的とするものと解され、限定を意味するものとは解されないことが意図される。
【図１】
2013532587.tif 000003
【図２】
2013532587.tif 000004
【図３】
2013532587.tif 000005
【図４】
2013532587.tif 000006
【図５】
2013532587.tif 000007
【図６】
2013532587.tif 000008
【図７Ａ】
2013532587.tif 000009
【図７Ｂ】
2013532587.tif 000010
【図７Ｃ】
2013532587.tif 000011
【図７Ｄ】
2013532587.tif 000012
【図７Ｅ】
2013532587.tif 000013
【図８】
2013532587.tif 000014
【図９Ａ】
2013532587.tif 000015
【図９Ｂ】
2013532587.tif 000016
【図９Ｃ】
2013532587.tif 000017
【図９Ｄ】
2013532587.tif 000018
【図１０】
2013532587.tif 000019
【図１１】
2013532587.tif 000020
【図１２】
2013532587.tif 000021
【図１３】
2013532587.tif 000022
【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
プロファイリング機械においてウエハを台形研削するための研削工具であって、
環状の車輪をスピンドルに取り付けるのに適用される中央の孔を有する環状の車輪を含み、
前記車輪は、該車輪の外縁部に配置される少なくとも２つの溝を有し、該溝は、ウエハの外縁部を受けるようなサイズであり、かつ外縁部の上側のみを台形の断面形状に研削するように構成され、
溝の少なくとも１つはウエハの粗研削に適用され、
少なくとも１つの他の溝はウエハの精密研削に適用される、研削工具。
【請求項２】
前記外縁部が上部周縁部および下部周縁部を有し、各溝が、ウエハの上部周縁部が研削され、かつウエハの下部周縁部が研削されないように角度付けられている、請求項１に記載の研削工具。
【請求項３】
前記溝が約３°〜１０°の角度を有し、該溝は、ウエハの上部周縁部のみが研削されるように平坦な底部を有する、請求項２に記載の研削工具。
【請求項４】
各溝は、ウエハの上部周縁部のみが研削されるように、断面においてＶ字形を有する、請求項２に記載の研削工具。
【請求項５】
少なくとも２つの溝は、ウエハが溝から溝へと容易に移動し得るように、互いに近接して配置される、請求項１に記載の研削工具。
【請求項６】
粗研削のための溝が、約６００〜約８００メッシュのダイアモンドグリットサイズを有し、精密研削のための溝が、約２０００〜約３０００メッシュのダイアモンドグリットサイズを有する、請求項１に記載の研削工具。
【請求項７】
車輪が、精密研削のための２つの溝と、粗研削のための１つの溝とを有する、請求項１に記載の研削工具。
【請求項８】
各溝は、ウエハの上部周縁部のみが研削されるようなサイズおよび形状である、請求項１に記載の研削工具。
【請求項９】
前記ウエハが活性部および基板部を含み、外縁部は活性部および基板部に沿って規定され、前記溝は、活性部と基板部の一部とを研削して、ウエハの台形の断面形状を規定するウエハの角度付けられた外縁部を規定するように構成される、請求項１に記載の研削工具。
【請求項１０】
プロファイリング機械においてウエハを台形研削するための研削工具であって、
環状の車輪をスピンドルに取り付けるのに適用される中央の孔を有する環状の車輪を含み、
前記車輪は、該車輪の外縁部に配置される３つ以上の溝を有し、該溝は、ウエハの外縁部を受けるようなサイズであり、
一の溝はウエハの粗研削のためのものであり、
少なくとも２つの溝はウエハの精密研削のためのものであり、
各溝は、ウエハの上部周縁部のみが研削されるように、断面においてＶ字形を有し、かつウエハに対してサイズが決められる、研削工具。
【請求項１１】
前記溝が約７°の角度を有し、該溝は、ウエハの上部周縁部のみが研削されるように、平坦な底部を有するＶ字形である、請求項１０に記載の研削工具。
【請求項１２】
前記溝は、ウエハが溝から溝へと迅速に移動し得るように、互いに近接して配置される、請求項１１に記載の研削工具。
【請求項１３】
粗研削のための溝が、約６００〜約８００メッシュのダイアモンドグリットサイズを有し、精密研削のための溝が、約２０００〜約３０００メッシュのダイアモンドグリットサイズを有する、請求項１２に記載の研削工具。
【手続補正書】
【提出日】平成24年10月23日(2012.10.23)
【手続補正１】
【補正対象書類名】明細書
【補正対象項目名】００２８
【補正方法】変更
【補正の内容】
【００２８】
この実施形態の各溝壁は、溝の底部から溝の頂部へと傾斜しており、平坦な底部を有する。この実施形態において、傾斜は約７°の角度である。溝の底部の幅は、約２００ミクロン（μｍ）の総厚さを有する接合ウエハに使用する場合には約１．８ｍｍであり、その結果、基板ウエハまたはウエハの裏面は台形研削の間、溝に接触しない。各溝の、最も幅が広い部分（溝の頂部）における幅は約３．５ｍｍである。溝の壁は、約０．２ｍｍの半径で、溝の底部へと湾曲している。溝の深さＧＤは約６．０ｍｍであり、溝の根本（ｒｏｏｔ）の深さＲＤは約８．０ｍｍである。
【手続補正２】
【補正対象書類名】特許請求の範囲
【補正対象項目名】全文
【補正方法】変更
【補正の内容】
【特許請求の範囲】
【請求項１】
プロファイリング機械においてウエハを台形研削するための研削工具であって、
環状の車輪をスピンドルに取り付けるのに適用される中央の孔を有する環状の車輪を含み、
前記車輪は、該車輪の外縁部に配置される少なくとも２つの溝を有し、該溝は、ウエハの外縁部を受けるようなサイズであり、かつ外縁部の上側のみを台形の断面形状に研削するように構成され、
溝の少なくとも１つはウエハの粗研削に適用され、
少なくとも１つの他の溝はウエハの精密研削に適用される、研削工具。
【請求項２】
前記外縁部が上部周縁部および下部周縁部を有し、各溝が、ウエハの上部周縁部が研削され、かつウエハの下部周縁部が研削されないように角度付けられている、請求項１に記載の研削工具。
【請求項３】
前記溝が約３°〜１０°の角度を有し、該溝は、ウエハの上部周縁部のみが研削されるように平坦な底部を有する、請求項２に記載の研削工具。
【請求項４】
各溝は、ウエハの外縁部の上側のみが研削されるように、断面においてＶ字形を有する、請求項１に記載の研削工具。
【請求項５】
少なくとも２つの溝は、ウエハが溝から溝へと容易に移動し得るように、互いに近接して配置される、請求項１に記載の研削工具。
【請求項６】
粗研削のための溝が、約６００〜約８００メッシュのダイアモンドグリットサイズを有し、精密研削のための溝が、約２０００〜約３０００メッシュのダイアモンドグリットサイズを有する、請求項１に記載の研削工具。
【請求項７】
車輪が、精密研削のための２つの溝と、粗研削のための１つの溝とを有する、請求項１に記載の研削工具。
【請求項８】
各溝が、第１の傾斜壁と、第２の傾斜壁と、第１の傾斜壁と第２の傾斜壁との間に延在する垂直壁とを含み、第１の傾斜壁と第２の傾斜壁との間の距離は、ウエハの上部周縁部のみが第１の傾斜壁によって研削されるように、ウエハの厚さより大きい、請求項１に記載の研削工具。
【請求項９】
前記ウエハが活性部および基板部を含み、外縁部は活性部および基板部に沿って規定され、前記溝は、活性部と基板部の一部とを研削して、ウエハの台形の断面形状を規定するウエハの角度付けられた外縁部を規定するように構成される、請求項１に記載の研削工具。
【請求項１０】
車輪が該車輪の外縁部に配置される３つ以上の溝を有し、
一の溝はウエハの粗研削のために構成されており、
少なくとも２つの溝はウエハの精密研削のために構成されており、
各溝は、ウエハの上部周縁部のみが研削されるように、断面においてＶ字形を有し、かつウエハに対してサイズが決められる、請求項１に記載の研削工具。
【請求項１１】
各溝が約７°の角度を有し、各溝は、ウエハの上部周縁部のみが研削されるように、平坦な底部を有するＶ字形である、請求項１０に記載の研削工具。
【請求項１２】
前記溝が各々、平坦な底部における１．８ｍｍから溝の頂部における３．５ｍｍへと増加する幅を有する、請求項４に記載の研削工具。
【請求項１３】
粗研削のための溝が、約６００〜約８００メッシュのダイアモンドグリットサイズを有し、精密研削のための溝が、約２０００〜約３０００メッシュのダイアモンドグリットサイズを有する、請求項１２に記載の研削工具。
【国際調査報告】
2013532587.tif 000023
2013532587.tif 000024